(57)【要約】      （修正有）【課題】過失割合の決定を速やかにしかも確実かつ簡単に行い得る車両事故調査報告資料を提供する。【解決手段】車両事故調査報告資料においては、事故当事者のうち一方の当事者の証言する事故現場状況見取図と他方の当事者の証言する事故現場状況見取図とを含む車両事故調査報告書面１と、当事者双方の証言する事故現場状況をアニメーションとして記憶した外部メモリ２も利用するので、当事者双方の証言する事故現場状況を容易に把握することができる。従って、過失割合の決定を速やかにしかも確実かつ簡単に行い得る。【選択図】図２
0003155841.tif 000002
【実用新案登録請求の範囲】
【請求項１】
事故当事者のうち一方の当事者の証言する事故現場状況見取図と他方の当事者の証言する事故現場状況見取図とを含む車両事故調査報告書面と、一方の当事者の証言する事故現場状況と他方の当事者の証言する事故現場状況とをそれぞれアニメーションとして記憶したメモリとを備えたことを特徴とする車両事故調査報告資料。
【請求項２】
前記メモリはコンピュータに着脱することができる外部メモリであることを特徴とする請求項１に記載の車両事故調査報告資料。
【請求項３】
前記メモリはアニメーションのこま送りスピ−ドを調整するスピ−ド調整操作部を有していることを特徴とする請求項１または請求項２に記載の車両事故調査報告資料。
【請求項４】
前記メモリはアニメーションのこまを静止させるこま静止操作部を有していることを特徴とする請求項１または請求項２または請求項３に記載の車両事故調査報告資料。
【請求項５】
前記メモリは所定のこまの状況を説明したこま状況説明部を有し、前記こま静止操作部はこのこま状況説明部であることを特徴とする請求項４に記載の車両事故調査報告資料。
【考案の詳細な説明】
【技術分野】
【０００１】
本考案は、各種用途の自動車等の車両における事故の当事者間で過失割合を算定する際に参照する車両事故調査報告資料に関するものである。
【背景技術】
【０００２】
従来、車両事故の当事者間で過失割合を算定する際には、事故現場の状況を表した図面と、事故の当事者双方から聞き取った事故状況の内容を整理した文章とを照らし合わせ、図面上で事故をシュミレーションして事故状況を判断し、最終的に過失割合を考察する。
【考案の開示】
【考案が解決しようとする課題】
【０００３】
このようにして過失割合を考察する過程では、図面や文章を参照して頭の中で事故状況を思い描く作業をしたり、実際にミニチュアの車両を使用して図面上で動かす作業をしたりして事故状況を判断していたので、最終的に過失割合を決定する結論に至るまでには非常に手間を要し、ある程度の熟練を必要としていた。
【０００４】
この考案は、過失割合の決定を速やかにしかも確実かつ簡単に行い得る車両事故調査報告資料を提供することを目的としている。
【課題を解決するための手段】
【０００５】
後記実施形態の図面（図１〜４）の符号を援用して本考案にかかる車両事故調査報告資料を説明する。
請求項１の考案にかかる車両事故調査報告資料においては、事故当事者のうち一方の当事者の証言する事故現場状況見取図と他方の当事者の証言する事故現場状況見取図とを含む車両事故調査報告書面１と、一方の当事者の証言する事故現場状況と他方の当事者の証言する事故現場状況とをそれぞれアニメーションとして記憶したメモリ２とを備えている。請求項１の考案では、この車両事故調査報告書面１ばかりでなく、当事者双方の証言する事故現場状況をアニメーションとして記憶したメモリ２も利用するので、当事者双方の証言する事故現場状況を容易に把握することができる。
【０００６】
請求項１の考案を前提とする請求項２の考案において、前記メモリはコンピュータに着脱することができる外部メモリ２である。請求項２の考案では、この外部メモリ２を車両事故調査報告書面１とともに容易に持ち運ぶことができる。
【０００７】
請求項１または請求項２の考案を前提とする請求項３の考案において、前記メモリ２はアニメーションのこま送りスピ−ドを調整するスピ−ド調整操作部を有している。請求項３の考案では、スピ−ド調整操作部により、当事者双方の証言する事故現場状況のうち注目する部分を容易かつ速やかに把握することができる。
【０００８】
請求項１または請求項２または請求項３の考案を前提とする請求項４の考案において、前記メモリ２はアニメーションのこまを静止させるこま静止操作部を有している。請求項４の考案では、こま静止操作部により、当事者双方の証言する事故現場状況のうち注目する部分を容易かつ速やかに把握することができる。
【０００９】
請求項４の考案を前提とする請求項５の考案において、前記メモリ２は所定のこまの状況を説明したこま状況説明部を有し、前記こま静止操作部はこのこま状況説明部である。請求項５の考案では、こま状況説明部をこま静止操作部として兼用したので、当事者双方の証言する事故現場状況のうち注目する部分を容易かつ速やかに把握することができる。
【考案の効果】
【００１０】
本考案は、過失割合の決定を速やかにしかも確実かつ簡単に行い得る車両事故調査報告資料を提供することができる。
【図面の簡単な説明】
【００１１】
【図１】（ａ）は車両事故調査報告資料における車両事故調査報告書面を概略的に示す平面図であり、（ｂ）は車両事故調査報告資料におけるメモリを示す平面図である。
【図２】（ａ）は当事者の証言する事故現場状況を示す見取図であり、（ｂ）はメモリに記憶したアニメーションにおける所定のこまの状況を説明するためにメモリに記憶したこま状況説明部である。
【図３】（ａ）（ｂ）（ｃ）（ｄ）はそれぞれメモリに記憶したアニメーションのうち所定のこまの状況を示す画面である。
【図４】（ａ）（ｂ）（ｃ）（ｄ）はそれぞれメモリに記憶したアニメーションのうち所定のこまの状況を示す画面である。
【考案を実施するための形態】
【００１２】
以下、本考案の一実施形態にかかる車両事故調査報告資料について図１〜４を参照して説明する。
この車両事故調査報告資料は、例えば自動車（エンジンの力で路上を走る四輪車など）における事故の当事者間で過失割合を算定する際に参照するものであって、図１（ａ）で概略的に示す車両事故調査報告書面１と、図１（ｂ）に示すように図示しないコンピュータに着脱することができるＣＤなどの外部メモリ２とを備えている。
【００１３】
前記車両事故調査報告書面１は、図２（ａ）に示すように事故当事者のうち一方の当事者Ａの証言する事故現場状況を示す見取図と、事故当事者のうち他方の当事者Ｂの証言する事故現場状況を示す見取図（図示しないが、図２（ａ）と同様なもの）とを含む。
【００１４】
前記外部メモリ２は、一方の当事者Ａの証言する事故現場状況を示す見取図と、他方の当事者Ｂの証言する事故現場状況を示す見取図とをそれぞれ詳細に理解できるようなアニメーションを記憶しているとともに、そのアニメーションにおける所定のこまの状況を説明したこま状況説明部、例えば図２（ｂ）に示すように一方の当事者Ａの証言する事故現場状況についてのこま状況説明部を記憶している。また、この外部メモリ２は、アニメーションのこま送りスピ−ドを調整するスピ−ド調整操作部を記憶しているとともに、アニメーションのこまを静止させるこま静止操作部としても前記こま状況説明部を記憶している。
【００１５】
この外部メモリ２をコンピュータに装着してその画面を操作すると、例えば、一方の当事者Ａの証言する事故現場状況については、図３（ａ）（ｂ）（ｃ）（ｄ）及び図４（ａ）（ｂ）（ｃ）（ｄ）に示す所定のこまを含むアニメーションが画面に表示され、その画面に表示されたスピ−ド調整操作部によりアニメーションのこま送りスピ−ドを調整することができる。また、その画面に表示されたこま静止操作部としてのこま状況説明部のうちいずれかのものを選択すると、アニメーションが静止し、選択したこま状況説明部に対応して、例えば、図３（ａ）（ｂ）（ｃ）（ｄ）及び図４（ａ）（ｂ）（ｃ）（ｄ）に示す所定のこまのうちいずれかのこまが静止して画面に表示される。その際、例えば図２（ｂ）に示すように一方の当事者Ａの証言する事故現場状況についてのこま状況説明部が、静止したこま毎に画面に表示され、静止したこまに対応するこま状況説明部の色が変化する。また、他方の当事者Ｂの証言する事故現場状況についても同様にアニメーションが表示される。
【００１６】
本実施形態は下記の効果を有する。
＊  当事者Ａ，Ｂの証言する事故現場状況を表示したアニメーションにより、当事者Ａ，Ｂの証言する事故現場状況を容易に把握して、過失割合の決定を速やかにしかも確実かつ簡単に行うことができる。
【００１７】
＊  外部メモリ２を車両事故調査報告書面１とともに容易に持ち運んで、過失割合の決定を速やかにしかも確実かつ簡単に行うことができる。
＊  スピ−ド調整操作部によりアニメーションのこま送りスピ−ドを必要に応じて調整して、当事者Ａ，Ｂの証言する事故現場状況のうち注目する部分を容易かつ速やかに把握することができる。
【００１８】
＊  こま静止操作部としてのこま状況説明部によりアニメーションのこまを静止させて、当事者Ａ，Ｂの証言する事故現場状況のうち注目する部分を容易かつ速やかに把握することができる。
【００１９】
＊  アニメーションのうち静止させた所定のこまの状況を説明したこま状況説明部をこま静止操作部として兼用したので、所望のこま状況説明部を選択すれば、所望のこまを表示させて、当事者Ａ，Ｂの証言する事故現場状況のうち注目する部分を容易かつ速やかに把握することができる。
【００２０】
前記実施形態以外にも例えば下記のように構成してもよい。
・  車両には、自動車ばかりでなく、自転車（乗り手がペダルを踏んで車輪を回転させて進む二輪車）も含む。また、自動車には、エンジンの力で路上を走る四輪車や、オートバイ（自動二輪車）や、オート三輪車や、トラクターやフォークリフトなどの特殊自動車も含む。
【００２１】
・  メモリには、ＣＤなどの外部メモリ２ばかりでなく、コンピュータに予め内蔵されたものも含む。
【符号の説明】
【００２２】
１…車両事故調査報告書面、２…外部メモリ２。
【図１】
0003155841.tif 000003
【図２】
0003155841.tif 000004
【図３】
0003155841.tif 000005
【図４】
0003155841.tif 000006